(57)【要約】フィルタトラッキング速度を加速するための方法は、時分割複信（ＴＤＤ）あるいはマルチメディアブロードキャスト単一周波数ネットワーク（ＭＢＳＦＮ）システムにおいて、アップリンク／ダウンリンク構成に少なくとも部分的に基づいて、フィルタ係数をスケーリングすることを含む。前記方法はさらに、フィルタトラッキング速度を制御するために、少なくとも一つのダウンリンクサブフレームの間にスケーリングされたフィルタ係数を適用することを含む。【選択図】      図１６
2015516721.tif 000002
【特許請求の範囲】
【請求項１】
無線通信方法であって、
時分割複信（ＴＤＤ）あるいはマルチメディアブロードキャスト単一周波数ネットワーク（ＭＢＳＦＮ）システムにおいて、アップリンク／ダウンリンク構成に少なくとも部分的に基づいて、フィルタ係数をスケーリングすることと、
フィルタトラッキング速度を制御するために、少なくとも一つのダウンリンクサブフレームの間にスケーリングされたフィルタ係数を適用することと、
を具備する方法。
【請求項２】
前記スケーリングは、一無線フレームにおいて、ダウンリンクサブフレームの数に対する、サブフレームの全体数の比だけ、前記スケーリングされたフィルタ係数を増大することを備え、
前記適用することは、前記一無線フレームのすべてのダウンリンクサブフレームに対して前記スケーリングされたフィルタ係数を適用することを備える、請求項１に記載の方法。
【請求項３】
前記スケーリングされたフィルタ係数は、周波数トラッキングループ、時間トラッキングループ、あるいは自動利得制御ループに対するループゲインを備える、請求項１に記載の方法。
【請求項４】
前記適用することは、アップリンクサブフレームにすぐに続く、推移的なダウンリンクサブフレームのみに対する前記スケーリングされたフィルタ係数を、前記推移的なダウンリンクサブフレームに先立って、連続する非ダウンリンクサブフレームの数だけ増大する、請求項１に記載の方法。
【請求項５】
周波数分割複信（ＲＤＤ）に対するフィルタ係数は、前記推移的なダウンリンクサブフレームに続いて、前記少なくとも１つのダウンリンクサブフレームに適用される請求項４に記載の方法。
【請求項６】
非ダウンリンクサブフレームの間に、前記スケーリングされたフィルタ係数の更新を不作動にする請求項１に記載の方法。
【請求項７】
サブフレームの信号対雑音比が所定のしきい値より下回るときに前記スケーリングされたフィルタ係数の更新を不作動にする請求項１に記載の方法。
【請求項８】
前記サブフレーム内の基準信号トーンにしたがって、前記サブフレームの前記信号対雑音比を算出することをさらに備える請求項７に記載の方法。
【請求項９】
無線通信ネットワークにおける動作のために構成された装置であって、
メモリと、
前記メモリに接続された少なくとも１つのプロセッサと、を備え、
前記少なくとも１つのプロセッサは、
時分割複信（ＴＤＤ）あるいはマルチメディアブロードキャスト単一周波数ネットワーク（ＭＢＳＦＮ）システムにおいて、アップリンク／ダウンリンク構成に少なくとも部分的に基づいて、フィルタ係数をスケーリングし、
フィルタトラッキング速度を制御するために、少なくとも一つのダウンリンクサブフレームの間に前記フィルタ係数を適用するように構成される装置。
【請求項１０】
前記少なくとも１つのプロセッサはさらに、
一無線フレームにおいて、ダウンリンクサブフレームの数に対する、サブフレームの全体数の比だけ、前記フィルタ係数を増大し、
前記一無線フレームのすべてのダウンリンクサブフレームに対して前記スケーリングされたフィルタ係数を適用するように構成される、請求項９に記載の装置。
【請求項１１】
前記フィルタ係数は、周波数トラッキングループ、時間トラッキングループ、あるいは自動利得制御ループに対するループゲインを備える、請求項９に記載の装置。
【請求項１２】
前記少なくとも１つのプロセッサはさらに、アップリンクサブフレームにすぐに続く、推移的なダウンリンクサブフレームのみに対する前記フィルタ係数を、前記推移的なダウンリンクサブフレームに先立って、連続する非ダウンリンクサブフレームの数だけ増大することによって、前記フィルタ係数を適用するように構成される、請求項１に記載の方法。
【請求項１３】
前記少なくとも１つのプロセッサはさらに、周波数分割複信（ＲＤＤ）システムに対するフィルタ係数を、前記推移的なダウンリンクサブフレームに続く、前記少なくとも１つのダウンリンクサブフレームに適用するように構成される、請求項１２に記載の装置。
【請求項１４】
前記少なくとも１つのプロセッサはさらに、非ダウンリンクサブフレームの間に、前記スケーリングされたフィルタ係数の更新を不作動にするように構成される、請求項９に記載の装置。
【請求項１５】
前記少なくとも１つのプロセッサはさらに、サブフレームの信号対雑音比が所定のしきい値より下回るときに前記スケーリングされたフィルタ係数の更新を不作動にするように構成される、請求項９に記載の装置。
【請求項１６】
無線通信のために構成されたコンピュータプログラムプロダクトであって、前記コンピュータプログラムプロダクトは、
プログラムコードを記憶した非一時的コンピュータ読み取り可能な媒体を備え、前記プログラムコードは、
時分割複信（ＴＤＤ）あるいはマルチメディアブロードキャスト単一周波数ネットワーク（ＭＢＳＦＮ）システムにおいて、アップリンク／ダウンリンク構成に少なくとも部分的に基づいて、フィルタ係数をスケーリングするためのプログラムコードと、
フィルタトラッキング速度を制御するために、少なくとも一つのダウンリンクサブフレームの間に前記フィルタ係数を適用するためのプログラムコードと、を具備する方法。
【請求項１７】
無線通信システムにおいて動作する装置であって、前記装置は、
時分割複信（ＴＤＤ）あるいはマルチメディアブロードキャスト単一周波数ネットワーク（ＭＢＳＦＮ）システムにおいて、アップリンク／ダウンリンク構成に少なくとも部分的に基づいて、フィルタ係数をスケーリングするための手段と、
フィルタトラッキング速度を制御するために、少なくとも一つのダウンリンクサブフレームの間にスケーリングされたフィルタ係数を適用するための手段と、
を具備する装置。
【請求項１８】
スケーリングするための前記手段はさらに、一無線フレームにおいて、ダウンリンクサブフレームの数に対する、サブフレームの全体数の比だけ、前記スケーリングされたフィルタ係数を増大するための手段を備え、
適用するための前記手段はさらに、前記一無線フレームのすべてのダウンリンクサブフレームに対して前記スケーリングされたフィルタ係数を適用するための手段を備える、請求項１７に記載の装置。
【請求項１９】
適用するための前記手段は、アップリンクサブフレームにすぐに続く、推移的なダウンリンクサブフレームのみに対する前記スケーリングされたフィルタ係数を、前記推移的なダウンリンクサブフレームに先立って、連続する非ダウンリンクサブフレームの数だけ増大する、請求項１７に記載の装置。
【請求項２０】
周波数分割複信（ＲＤＤ）に対するフィルタ係数を、前記推移的なダウンリンクサブフレームに続く前記少なくとも１つのダウンリンクサブフレームに適用するための手段をさらに備える、請求項１９に記載の装置。
【発明の詳細な説明】
【優先権の主張】
【０００１】
［０００１］関連出願の相互参照
本願発明は、２０１２年３月１６日に出願され、「DIGITAL FILTER CONTROL FOR FILTER TRACKING SPEED UP」と題された米国仮出願第６１／６１１７７０号の利益を主張し、その内容は、その全体において参照によりここに組み込まされる。
【技術分野】
【０００２】
［０００２］本開示は、概して、無線通信システムに関し、より詳細には、フィルタトラッキング速度を加速することに関する。
【背景技術】
【０００３】
［０００３］無線通信システムは、電話、ビデオ、データ、メッセージング、およびブロードキャストのような様々なテレコミュニケーションサービスを提供するように広く展開されている。一般的な無線通信システムは、利用可能なシステムリソース（例、帯域幅、伝送パワー）を共有することによって複数のユーザとの通信をサポートすることができる多元接続技術を利用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
［０００４］市レベル（municipal）、国レベル（national）、領域レベル（regional）、また、グローバルレベル（global）で異なる無線デバイスが通信することを可能にする共通のプロトコルを提供するために様々なテレコミュニケーション標準においてこれらの多元接続技術が採用されてきた。新興テレコミュニケーション標準規格の例は、ロングタームエボリューション（ＬＴＥ）である。ＬＴＥは、第３世代パートナーシッププロジェクト（３ＧＰＰ）によって広められるユニバーサルモバイルテレコミュニケーションシステム（ＵＭＴＳ）モバイル標準規格に対する１セットの強化（a set of enhancement）である。スペクトル効率、より低いコストを改善することによって、モバイルブロードバンドインターネットアクセスをよりよくサポートし、サービスを改善し、新しいスペクトラムを活用し、そして、ダウンリンク（ＤＬ）上でＯＦＤＭＡ、アップリンク（ＵＬ）上でＳＣ−ＦＤＭＡ、そして多入力多出力（ＭＩＭＯ）アンテナ技術を使用して他のオープン規格とよりよく一体化するように設計される。しかしながら、モバイルブロードバンドアクセスの需要が高まり続けると、ＬＴＥ技術においてさらなる改善の必要性がある。望ましくは、これらの改善は、他の多元接続技術と、これらの技術を利用するテレコミュニケーション標準規格に対して、適用可能であるべきである。
【０００５】
［０００５］モバイルブロードバンドアクセスに対する要求が増大するにつれて、長距離無線通信ネットワークにアクセスするＵＥの増大およびコミューニティ内に展開される短距離無線システムの増大とともに、干渉および混雑したネットワークの可能性が大きくなる。モバイルブロードバンドアクセスに対する要求の増大に対応するためのみならず、モバイル通信に関するユーザ経験を推進および増大するために、ユニバーサルモバイルテレコミュニケーションシステム（ＵＭＴＳ）技術に対する研究及び開発が続けられている。
【発明の概要】
【０００６】
［０００６］本開示の一側面によれば、フィルタトラッキング速度を加速するための方法が記述される。本方法は、時分割複信（ＴＤＤ）あるいはマルチメディアブロードキャスト単一周波数ネットワーク（ＭＢＳＦＮ）システムにおいて、少なくとも部分的にアップリンク／ダウンリンク構成に基づいて、フィルタ係数をスケーリングすることを含む。本方法はまた、フィルタトラッキング速度を制御するために、少なくとも１つのダウンリンクサブフレームの間にスケーリングされたフィルタ係数を適用することを含む。
【０００７】
［０００７］本開示の他の側面によれば、無線通信ネットワークにおける動作のための装置が記述される。本装置は、メモリとメモリに接続された少なくとも１つのプロセッサを含む。プロセッサは、時分割複信（ＴＤＤ）あるいはマルチメディアブロードキャスト単一周波数ネットワーク（ＭＢＳＦＮ）システムにおいて、少なくとも部分的にアップリンク／ダウンリンク構成に基づいて、フィルタ係数をスケーリングするように構成される。プロセッサはまた、トラッキングループ速度を制御するために、少なくとも１つのダウンリンクサブフレームの間にスケーリングされたフィルタ係数を適用するように構成される。
【０００８】
［０００８］本開示のさらなる側面によれば、無線通信のためのコンピュータプログラムプロダクトが記述される。コンピュータプログラムプロダクトは、その上に記録されたプログラムコードを有する非一時的コンピュータ読み取り可能媒体を含む。非一時的コンピュータ読み取り可能媒体は、時分割複信（ＴＤＤ）あるいはマルチメディアブロードキャスト単一周波数ネットワーク（ＭＢＳＦＮ）システムにおいて、少なくとも部分的にアップリンク／ダウンリンク構成に基づいて、フィルタ係数をスケーリングするためのプログラムコードを含む。非一時的コンピュータ読み取り可能媒体はまた、トラッキングループ速度を制御するために、少なくとも１つのダウンリンクサブフレームの間にスケーリングされたフィルタ係数を適用するためのプログラムコードを含む。
【０００９】
［０００９］本開示の他の側面は、無線通信システムにおいて動作する装置を含む。当該装置は、時分割複信（ＴＤＤ）あるいはマルチメディアブロードキャスト単一周波数ネットワーク（ＭＢＳＦＮ）システムにおいて、少なくとも部分的にアップリンク／ダウンリンク構成に基づいて、フィルタ係数をスケーリングするための手段を含む。当該装置はまた、トラッキングループ速度を制御するために、少なくとも１つのダウンリンクサブフレームの間にスケーリングされたフィルタ係数を適用するためのプログラムコードを含む。
【００１０】
［００１０］以上、以下の詳細な説明がよりよく理解されるように、本開示の特徴および技術的利点をかなり広い概念において説明した。本開示のさらなる特徴および利点は、以下に説明される。当業者ならば、本開示が、本開示と同じ目的を実行するために変更したり他の構造を設計するための基礎として容易に利用され得ることを認識するであろう。また、当業者ならば、そのような同等の構成は、添付の特許請求の範囲に記述された開示の教義から逸脱しないことを認識するであろう。その構成および動作の方法に関して開示の特徴であると認められる新規な特徴は、さらなる目的および利点とともに、添付の図に関連して考慮された以下の記述からよりよく理解されるであろう。しかしながら、これらの図の各々は、例示および記述の目的のみで提供されたものであり、本開示の限界を定義することを意図したものではない。
【図面の簡単な説明】
【００１１】
［００１１］本開示の特徴、性質および利点は、明細書全体にわたって同じ参照文字が同じものを特定する図面を参照して以下に述べられる詳細な説明から明らかになる。
【図１】［００１２］図１は、ネットワークアーキテクチャの一例を示す図である。
【図２】［００１３］図２は、アクセスネットワークの一例を示す図である。
【図３】［００１４］図３は、ＬＴＥにおけるダウンリンクフレーム構造の一例を示す図である。
【図４】［００１５］図４は、ＬＴＥにおけるアップリンクフレーム構造の一例を示す図である。
【図５】［００１６］図５は、ユーザのための無線プロトコルアーキテクチャおよびコントロール面の一例を示す図である。
【図６】［００１７］図６は、展開型ノードＢの一例およびアクセスネットワークにおけるユーザ装置を示す図である。
【図７】［００１８］図７は、第一次構成にしたがった、周波数トラッキングループを示すブロック図である。
【図８】［００１９］図８は、第二次構成にしたがった、周波数トラッキングループを示すブロック図である。
【図９】［００２０］図９は、ステップ入力をもつＦＤＤおよびＴＤＤのための第二次ループトラッキング速度の比較である。
【図１０】［００２１］図１０は、ランプ入力をもつＦＤＤおよびＴＤＤのための第二次ループトラッキング速度の比較である。
【図１１】［００２２］図１１は、本開示の一側面にしたがった、アップリンク／ダウンリンクのための非ダウンリンクサブフレームの間に固定（frozen）されたトラッキングループのループトラッキング速度の補償を示すタイミング図である。
【図１２】［００２３］図１２は、本開示の一側面にしたがった、各アップリンク／ダウンリンク構成（UL_DL_cfg）に対するスケーリング値を提供する図である。
【図１３】［００２４］図１３は、本開示の一側面にしたがった、ステップ入力をもつＴＤＤシステムのための第二次ループトラッキング加速の比較を示すグラフである。
【図１４】［００２５］図１４は、本開示の一側面にしたがった、ランプ入力をもつＴＤＤシステムのための第二次ループトラッキング加速の比較を示すグラフである。
【図１５】［００２６］図１５は、本願の一側面にしたがった、フィルタトラッキング速度を加速するための方法を示すブロック図である。
【図１６】［００２７］図１６は、本開示の一側面にしたがった、フィルタトラッキングループ加速システムを使用する装置のためのハードウェア実装の一例を示す図である。
【発明を実施するための形態】
【００１２】
［００２８］添付の図面を参照して以下に説明される詳細な記述は、種々の構成の記述を意図したものであり、ここに記述された概念が実行される構成のみを表すことを意図していない。詳細な説明は、種々の概念の完全な理解を提供するために特別な詳細を含む。しかしながら、これらの概念は当該特別な詳細なしに実行され得ることは当業者にとって明らかである。ある場合においては、そのような概念をあいまいにするのを避けるために、既知の構造およびコンポーネントはブロックの形態で示される。さらに、術語“または”は、排他的“または”ではなく、包括的“または”を意味するものである。すなわち、例えば、“ＸはＡまたはＢを使用する”というフレーズは、特に特定されるかあるいは文脈から明らかでないかぎり、自然な抱合的順列の任意のものを意味することを意図している。すなわち、例えば、“ＸはＡまたはＢを使用する”というフレーズは、次の例、ＸはＡを使用する、ＸはＢを使用する、ＸはＡとＢの両方を使用する、のいずれかによって満足される。さらに、この出願および添付の特許請求の範囲において使用される冠詞の“a”および“an”（１つ）は概して、特別に特定されるかあるいは単数形に向けられた文脈から明らかでない限り、“１つまたはそれ以上”を意味するものと解釈されるべきである。
【００１３】
［００２９］遠隔通信システムの側面は種々の装置及び方法を参照して提示される。これらの装置及び方法は種々のブロック、モジュール、コンポーネント、ステップ、プロセス、アルゴリズムなど（“要素”と総称する）によって、以下の詳細な説明において記述され、添付の図面により例示される。これらの要素はハードウェア（例えば電子的ハードウェア）、ソフトウェア、あるいはそれらの組み合わせを用いて実装される。そのような要素がハードウェアにより実行されるかソフトウェアにより実装されるかは特定のアプリケーションおよびシステム全体に課せられる設計上の拘束に依存する。
【００１４】
［００３０］例として、要素、あるいは要素の一部、あるいは要素の任意の組み合わせは、１つ以上のプロセッサを含む“処理システム”によって実装される。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ），状態機械、ゲーテッドロジック、ディスクリートハードウェア回路、およびこの開示を通して記述された種々の機能を実行するように構成される他の適当なハードウェアを含む。処理システムにおける１つ以上のプロセッサはソフトウェアを実行する。ソフトウェアは、ソフトウェア、ファームウェア、ミドルウェア、マイクロコード、ハードウェア記述言語など、どのように呼ばれたとしても、命令、命令の組、コード、コードセグメント、プログラムコード、プログラム、サブプログラム、ソフトウェアモジュール、アプリケーション、ソフトウェアプリケーション、ソフトウェアパッケージ、ファームウェア、ルーチン、サブルーチン、オブジェクト、実行可能物、実行のスレッド、プロシージャ、機能などを意味するように広く解釈されるべきである。
【００１５】
［００３１］明確さのために、技術のある側面は、ＬＴＥあるいはＬＴＥ−Advanced（ＬＴＡ−Ａ）（ここでは“ＬＴＥ”と総称する）を念頭に置いて説明され、以下の記述の多くの部分においてＬＴＥ術語を使用する。図１は、ＬＴＥネットワークアーキテクチャ１００を示す図であり、本開示の側面にしたがってフィルタトラッキング速度の加速が実装されることができる。ＬＴＥネットワークアーキテクチャ１００は展開型（Evolved）パケットシステム（ＥＰＳ）１００と呼ぶことができる。ＥＰＳ１００は、１つ以上のユーザ装置（ＵＥ）１０２、展開型ＵＭＴＳ地上無線アクセスネットワーク（Ｅ−ＵＴＲＡＮ）１０４、展開型パケットコア（ＥＰＣ）１１０、ホームサブスクライバサーバ（ＨＳＳ）１２０、そしてオペレータズＩＰサービス１２２を含むことができる。ＥＰＳ１００は、他のアクセスネットワークに接続することができるが、説明を簡略化するためにこれらのエンティティ／インタフェースは示されていない。図に示すように、ＥＰＳ１００は、パケットスイッチトサービスを提供するが、当業者ならば、本開示全体において提示された種々の概念は回路交換サービスを提供するネットワークに延長されることを容易に認識するであろう。
【００１６】
［００３２］Ｅ−ＵＴＲＡＮは展開型ノードＢ（ｅＮｏｄｅＢ）１０６および他のｅＮｏｄｅＢ１０８を含む。ｅＮｏｄｅＢ１０６は、ＵＥ１０２に向けて、ユーザおよび制御プレーンプロトコルターミネーション（termination）を提供する。ｅＮｏｄｅＢ１０６はバックホール（例えばＸ２インタフェース）を介して他のｅＮｏｄｅＢ１０８に接続されることができる。ｅＮｏｄｅＢ１０６はさらに、基地局、基地トランシーバ局、無線基地局、無線トランシーバ、トランシーバ機能、アクセスポイント、基本サービスセット（ＢＳＳ）、拡張サービスセット（ＥＳＳ）、あるいは他の適当な術語で呼ばれている。ｅＮｏｄｅＢ１０６は、ＵＥ１０２のためにＥＰＣ１１０へのアクセスポイントを提供する。ＵＥ１０２の例は、セルラフォーン、スマートフォーン、セッションイニシエーションプロトコル（ＳＩＰ）フォーン、ラップトップ、パーソナルデジタルアシスタント（ＰＤＡ）、衛星無線、グローバルポジショニングシステム、マルチメディアデバイス、タブレット、ノートブック、スマートブック、ウルトラブック、ビデオサービス、デジタルオーディオプレーヤ（例えばＭＰ３プレーヤ）、カメラ、ゲームコンソール、あるいは他の類似の機能デバイスを含む。ＵＥ１０２はさらに、当業者によって、モバイルステーション、サブスクライバステーション、モバイルユニット、サブスクライバユニット、無線ユニット、遠隔ユニット、モバイルデバイス、無線デバイス、無線通信デバイス、遠隔デバイス、モバイルサブスクライバ局、アクセス端末、モバイル端末、無線端末、遠隔端末、ハンドセット、ユーザエージェント、モバイルクライアント、クライアント、あるいは他の適当な術語で呼ぶことができる。
【００１７】
［００３３］ｅＮｏｄｅＢ１０６は、例えばＳ１インタフェースを介してＥＰＣ１１０に接続される。ＥＰＣ１１０はモビリティマネジメントエンティティ（ＭＭＥ）１１２、他のＭＭＥ１１４、サービングゲートウエイ１１６、パケットデータネットワーク（ＰＤＮ）ゲートウエイ１１８を含む。ＭＭＥ１１２は制御ノードであり、ＵＥ１０２とＥＰＣ１１０間のシグナリングを処理する。概してＭＭＥ１１２は、ベアラおよび接続管理を提供する。すべてのユーザＩＰパケットはサービングゲートウエイ１１６を介して転送され、サービングゲートウエイ１１６はＰＤＮゲートウエイ１１８に接続される。ＰＤＮゲートウエイ１１８はＵＥ  ＩＰアドレスの割り振りおよび他の機能を提供する。ＰＤＮゲートウエイ１１８はオペレータズＩＰサービス１２２に接続される。オペレータズＩＰサービス１２２はインターネット、イントラネット、ＩＰマルチメディアサブシステム（ＩＭＳ）、そしてＰＳ（パケットスイッチト）ストリーミングサービス（ＰＳＳ）を含む。
【００１８】
［００３４］図２は、ＬＴＥネットワークアーキテクチャにおけるアクセスネットワーク２００の例を示す図である。この例において、アクセスネットワーク２００は多数のセルラ領域（セル）２０２に分割される。１つ以上の低電力クラスｅＮｏｄｅＢ２０８は、１つ以上のセル２０２と重複するセルラ領域２１０をもつことができる。低電力クラスｅＮｏｄｅＢ２０８は、遠隔無線ヘッド（ＲＲＨ）、ヘムトセル（例えばホームｅＮｏｄｅＢ（ＨｅＮｏｄｅＢ））、ピコセル、あるいはミクロセルであることができる。マクロｅＮｏｄｅＢ２０４は各々、セル２０２の各一つに割り当てられ、セル２０２内のＵＥ２０６に対するアクセスポイントを提供するように構成される。この例でのアクセスネットワーク２００においては中央コントローラは存在しないが、他の構成において中央コントローラを使用することができる。ｅＮｏｄｅＢ２０４は、無線ベアラ制御、入力制御、モビリティ制御、スケジューリング、セキュリティ、サービングゲートウエイ１１６に対する接続性を含む、すべての無線関連機能を受け持つ。
【００１９】
［００３５］アクセスネットワーク２００によって使用される変調および多元アクセス方法は、展開される特定の遠隔通信標準によっていろいろ存在する。ＬＴＥアプリケーションにおいて、周波数分割複信（ＦＤＤ）および時分割複信（ＴＤＤ）をサポートするために、ダウンリンクではＯＦＤＭが使用され、アップリンクではＳＣ−ＦＤＭＡが使用される。当業者ならば、以下に述べる詳細な説明から、ここで提示された種々の概念がＬＴＥアプリケーションに好適することを容易に認識するであろう。しかしながら、これらの概念は、他の変調および多元アクセス技術を使用する他の遠隔通信標準に容易に延長されることができる。例として、これらの概念は、エボリューションーデータオプティマイズド（ＥＶ−ＤＯ）あるいはウルトラモバイルブロードバンド（ＵＭＢ）に延長することができる。ＥＶ−ＤＯおよびＵＭＢは、ＣＤＭＡ２０００ファミリ標準の一部として、第３世代パートナーシッププロジェクト２（３ＧＰＰ２）によって普及されたエアインタフェース標準であり、モバイル局に対してブロードバンドインターネットアクセスを提供するために、ＣＤＭＡを使用する。これらの概念はさらに、ワイドバンドＣＤＭＡ（Ｗ−ＣＤＭＡ）およびＴＤ−ＳＣＤＭＡなどのＣＤＭＡの他の分派を使用するユニバーサル地上無線アクセス（ＵＴＲＡ）、ＴＤＭＡを使用するモバイルコミュニケーション（ＧＳＭ（登録商標））のためのグローバルシステム、展開型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、そしてＯＦＤＭＡを使用するフラッシューＯＦＤＭにまで延長することができる。ＵＴＲＡ、Ｅ−ＵＴＲＡ、ＵＭＴＳ、ＬＴＥそしてＧＳＭは３ＧＰＰ２機構の文書に記述されている。ＣＤＭＡ２０００およびＵＭＢは３ＧＰＰ２の文書に記述されている。実際の無線通信標準および使用される多元アクセス技術は特定のアプリケーションとシステムに課せられる全体設計上の拘束事項に依存する。
【００２０】
［００３６］ｅＮｏｄｅＢ２０４は、ＭＩＭＯ技術をサポートする、多元のアンテナを有する。ＭＩＭＯ技術の使用は、ｅＮｏｄｅＢ２０４が、空間多数、ビーム形成、送信ダイバーシチをサポートするために、空間領域を利用することを可能にする。空間多重は、同じ周波数で異なるストリームのデータを同時に送信するために用いられる。データストリームは、データレートを増大するために単一のＵＥ２０６に、システム全体の容量を増大するために多元ＵＥ２０６に送信されることができる。このことは、各データストリームを空間的にプレコーディングし（すなわち、振幅および位相のスケーリングを適用する）、その後、ダウンリンクに関して多元送信アンテナを介して空間的にプレコーディングされた各ストリームを送信することによって達成される。空間的にプレコーディングされたストリームは、ＵＥ２０６の各々が当該ＵＥ２０６に向けられた１つ以上のデータストリームを復元するのを可能にする、異なる空間シグネチャでＵＥ２０６に到達する。アップリンクに関して、各ＵＥ２０６は空間的にプレコーディングされたデータストリームを送信し、これによってｅＮｏｄｅＢ２０４が、空間的にプレコーディングされた各データストリームのソースを特定するのを可能にする。
【００２１】
［００３７］空間多重は概してチャネル状態が良好であるときに使用される。チャネル状態が良好でないときには、送信エネルギを１つ以上の方向に集中させるために、ビーム形成を使用することができる。このことは、多元アンテナを介した送信のために、データを空間的にプレコーディングすることによって達成される。セルの端部で良好なカバレージを達成するために、送信ダイバーシチに組み合わせて単一ストリームのビーム形成送信が用いられる。
【００２２】
［００３８］以下の詳細な説明において、種々の側面のアクセスネットワークがダウンリンクに関してＯＦＤＭをサポートするＭＩＭＯシステムを参照して記述される。ＯＦＤＭはＯＦＤＭシンボル内の多数のサブキャリアにわたってデータを変調するスペクトル拡散技術である。サブキャリアは正確な周波数で離して配置される。この配置は受信機がサブキャリアからデータを復元するのを可能にする“直交性”を提供する。時間領域において、ＯＦＤＭシンボル間干渉に対処するためにガードインターバル（例えばサイクリックプレフィックス）が各ＯＦＤＭシンボルに追加される。高ピーク対平均電力比（ＰＡＰＲ）を補償するために、アップリンクは、ＤＦＴ拡散ＰＦＤＭ信号の形態でＳＣ−ＦＤＭＡを使用する。
【００２３】
［００３９］図３は、ＬＴＥにおけるダウンリンクフレーム構造の一例を示す図３００である。フレーム（１０ｍｓ）は１０個の均等なサイズのサブフレームに分割される。各サブフレームは２つの連続する時間スロットを含む。２つの時間スロットを表すためにリソースグリッドが使用され、各時間スロットはリソースブロックを含む。リソースグリッドは、多元のリソース要素に分割される。ＬＴＥにおいて、リソースブロックは、周波数領域において１２個の連続するサブキャリアと、各ＯＦＤＭシンボルにおける通常のサイクリックプレフィックスに対して、時間領域において７個の連続するＯＦＤＭ、すなわち８４個のリソース要素を含む。拡張されたサイクリックプレフィックスでは、リソースブロックは、時間領域における６個の連続するＯＦＤＭシンボルと、７２個のリソース要素を含む。リソース要素の一部は、Ｒ３０２，Ｒ３０４に示されるように、ダウンリンク基準信号（ＤＬ−ＲＳ）を含む。ＤＬ−ＲＳはセル特定ＲＳ（ＣＲＳ）（しばしば共通ＲＳと呼ばれる）３０２と、ＵＥ特定ＲＳ（ＵＥ−ＲＳ）３０４を含む。ＵＥ−ＲＳ３０４は、対応する物理ダウンリンクシェアドチャネル（ＰＤＳＣＨ）がマッピングされるリソースブロックのみに関して送信される。各リソース要素によって搬送されるビットの数は、変調方法に依存する。すなわち、ＵＥが受信するリソースブロックが多くなり、変調方法が高くなるほど、ＵＥに対するデータレートは高くなる。
【００２４】
［００４０］図４は、ＬＴＥにおけるアップリンクフレーム構造の例を示す図４００である。アップリンクのために利用可能なリソースブロックはデータ部と制御部とに分割される。制御部はシステム帯域の２つの端部で形成され、構成可能なサイズを有する。制御部におけるリソースブロックは制御情報の送信のためにＵＥに対して割り当てられる。データ部は制御部に含まれていないすべてのリソースブロックを含む。アップリンクフレーム構造はデータ部が隣接するサブキャリアを含む構造となり、単一のＵＥがデータ部の全ての隣接サブキャリアが割り当てられることを可能にする。
【００２５】
［００４１］ＵＥは、制御情報をｅＮｏｄｅＢに送信するために制御部の中にリソースブロック４１０ａ、４１０ｂが割り当てられる。ＵＥはまた、データをｅＮｏｄｅＢに送信するためにデータ部の中にリソースブロック４２０ａ、４２０ｂが割り当てられる。ＵＥは、制御部内の割り当てられたリソースブロックに関する物理アップリンク制御チャネル（ＰＵＣＣＨ）において制御情報を送信する。ＵＥは、データ部において割り当てられたリソースブロックに関して物理アップリンクシェアドチャネル（ＰＵＳＣＨ）においてデータのみあるいはデータ及び制御情報の両方を送信する。アップリンク送信はサブフレームの両スロットを網羅し、周波数にわたってホップする。
【００２６】
［００４２］初期システムアクセスを実行して、物理ランダムアクセスチャネル（ＰＲＡＣＨ）４３０におけるアップリンク同期を達成するために、一組のリソースブロックが用いられる。ＰＲＡＣＨ４３０は、ランダムシーケンスを搬送するがアップリンクデータ／シグナリングは搬送しない。各ランダムアクセスプリアンブルは、６個の連続するリソースブロックに対応する帯域を占有する。すなわち、ランダムアクセスプレアンブルの送信は、ある種の時間および周波数リソースに制限される。ＰＲＡＣＨに対する周波数ホッピングは存在しない。ＰＲＡＣＨ試行（attempt）は、単一のサブフレーム（１ｍｓ）あるいは一連のいくつかの隣接するサブフレームにおいて実行され、ＵＥはフレーム（１０ｍｓ）あたり単一のＰＲＡＣＨ試行のみを行う。
【００２７】
［００４３］図５は、ＬＴＥにおけるユーザおよぶ制御プレーンのための無線プロトコルアーキテクチャの一例を示す図５００である。ＵＥおよびｅＮｏｄｅＢのための無線プロトコルアーキテクチャはレイヤ１、レイヤ２、レイヤ３の３つのレイヤで示される。レイヤ１（Ｌ１レイヤ）は最低のレイヤであり、種々の物理層信号処理機能を実装する。Ｌ１レイヤはここでは物理レイヤ５０６と呼ぶことにする。レイヤ２（Ｌ２レイヤ）５０８は物理レイヤ５０６の上に配置され、ＵＥと物理レイヤ５０６上のｅＮｏｄｅＢ間のリンクを受け持つ。
【００２８】
［００４４］ユーザプレーンにおいて、Ｌ２レイヤ５０８はメディアアクセス制御（ＭＡＣ）サブレイヤ５１０、無線リンク制御（ＲＬＣ）サブレイヤ５１２および、ネットワーク側におけるｅＮｏｄｅＢで終端される、パケットデータコンバージェンスプロトコル（ＰＤＣＰ）５１４サブレイヤを含む。図示しないが、ＵＥは、ネットワーク側のＰＤＮゲートウエイ１１８で終端されるネットワークレイヤ（例えばＩＰレイヤ）と、コネクションの他の端部（例えばファーエンドＵＥ、サーバなど）で終端されるアプリケーションレイヤとを含む、Ｌ２レイヤ５０８上のいくつかのアッパレイヤを有する。
【００２９】
［００４５］ＰＤＣＰサブレイヤ５１４は異なる無線ベアラと論理チャネル間の多重を提供する。ＰＤＣＰサブレイヤ５４１４はまた、無線送信オーバヘッドを低減するためにアッパレイヤデータパケットのためのヘッダ圧縮、データパケットを暗号化することによる安全性、ｅＮｏｄｅＢ間のＵＥのためのハンドオーバサポートを提供する。ＲＬＣサブレイヤ５１２は、ハイブリッド自動反復要求（ＨＡＲＱ）によるアウトオフオーダ受信を補償するために、アッパレイヤデータパケットの分割および再配列、失われたデータパケットの再送、データパケットの再配列、を提供する。ＭＡＣサブレイヤ５１０は、論理および転送チャネル間の多重を提供する。ＭＡＣサブレイヤ５１０はまた、ＵＥ間の１つのセルの中に種々の無線リソース（例えばリソースブロック）を割り当てる役目をもつ。ＭＡＣサブレイヤ５１０はまた、ＨＡＲＱオペレーションの役目をもつ。
【００３０】
［００４６］制御プレーンにおいて、ＵＥおよびｅＮｏｄｅＢのための無線プロトコルアーキテクチャは、制御プレーンのためのヘッダ圧縮が存在しないことを例外として、物理レイヤ５０６およびＬ２レイヤ５０８のためのアーキテクチャと実質的に同じである。制御プレーンはまた、レイヤ３（Ｌ３レイヤ）の中に無線リソース制御（ＲＲＣ）サブレイヤ５１６を含む。ＲＲＣサブレイヤ５１６は、無線リソース（すなわち無線ベアラ）を取得するとともに、ｅＮｏｄｅＢとＵＥ間のＲＲＣシグナリングを用いてより低いレイヤを構成する役目をもつ。
【００３１】
［００４７］図６は、アクセスネットワークにおいてＵＥ６５０と通信するｅＮｏｄｅＢ６１０のブロック図である。ダウンリンクにおいて、コアネットワークからのアッパレイヤパケットは、ｅＮｏｄｅＢ６１０のコントローラ／プロセッサに供給される。コントローラ／プロセッサ６３０は、例えば、Ｌ２レイヤの機能を実装する。ダウンリンクにおいて、コントローラ／プロセッサ６３０は、ヘッダ圧縮、暗号化、パケット分割および再配列、論理および転送チャネル間の多重化、そして種々の有線メトリックに基づいたＵＥ６５０への無線リソース割り当てを提供する。コントローラ／プロセッサ６３０はまた、ＨＡＲＱオペレーション、失われたパケットの再送、ＵＥ６５０へのシグナリングを受け持つ。
【００３２】
［００４８］ｅＮｏｄｅＢ６１０の送信プロセッサ６１６は、Ｌ１レイヤ（すなわち物理レイヤ）のための種々の信号処理機能を実装する。信号処理機能は、ＵＥ６５０で前方エラー補正（ＦＥＣ）を実装するための符号化およびインタリーブ、種々の変調方法（例えば二進位相シフトキーイング（ＢＰＳＫ）、直交位相シフトキーイング（ＱＰＳＫ）、Ｍ−位相シフトキーイング（Ｍ−ＰＳＫ）、Ｍ−直交振幅変調（Ｍ−ＱＡＭ））に基づく信号コンスタレーションへのマッピングを含む。符号化および変調されたシンボルはつぎに並列なストリームに分割される。各ストリームはつぎに、ＯＦＤＭサブキャリアにマッピングされ、時間および周波数領域において基準信号（例えばパイロット）で多重化され、つぎに時間領域ＯＦＤＭシンボルストリームを搬送する物理チャネルを生成するために、逆高速フーリエ変換（ＩＦＦＴ）を用いて組み合わされる。ＯＦＤＭストリームは多元空間ストリームを生成するために空間的にプレコーディングされる。符号化及び変調方法および空間処理を決定するために、チャネル推定器６４２からのチャネル推定値が用いられる。基準信号あるいはＵＥ６５０によって送信されたチャネル状態フィードバックからチャネル推定値が引き出さる。各空間ストリームはつぎに、分離トランスミッタ６１８ＴＸを介して異なるアンテナ６２０に供給される。各トランスミッタ６１８ＴＸは、送信のための各空間ストリームでＲＦキャリアを変調する。
【００３３】
［００４９］ＵＥ６５０において、受信器６５４ＲＸの各々は、各アンテナ６５２を介して信号を受信する。受信器６５４ＲＸの各々は、ＲＦキャリア上に変調された情報を復元し、当該情報を受信器（ＲＸ）プロセッサ６５６に供給する。受信器プロセッサ６５６は、Ｌ１レイヤの種々の信号処理機能を実行する。受信器プロセッサ６５６は、ＵＥ６５０に向けられた空間ストリームを復元するために当該情報に関して空間処理を実行する。多元空間ストリームがＵＥ６５０に向けられているのであれば、それらは受信器プロセッサ６５６によって組み合わされて単一のＯＦＤＭシンボルストリームになる。受信器プロセッサ６５６はつぎに、高速フーリエ変換（ＦＦＴ）を用いて、ＯＦＤＭシンボルストリームを時間領域から周波数領域に変換する。周波数領域信号は、ＯＦＤＭ信号の各サブキャリアのための別個のＯＦＤＭシンボルストリームを備える。各サブキャリア上のシンボルおよび基準信号は、ｅＮｏｄｅＢ６１０によって送信された最尤信号コンスタレーション点を決定することによって復元および復調される。これらの軟判定値はチャネル推定器６７２によって計算されたチャネル推定値に基づく。軟判定値はつぎに、物理チャネル上のｅＮｏｄｅＢ６１０によって最初に送信されたデータおよび制御信号を復元するために、復号およびデインタリーブされる。データおよび制御信号はつぎに、ＵＥ６５０のコントローラ／プロセッサ６６０に供給される。
【００３４】
［００５０］コントローラ／プロセッサ６６０は、例えばＬ２レイヤを実装する。コントローラ／プロセッサ６６０は、プログラムコードおよびデータを記憶するメモリ６６２に関連付けられる。メモリ６６２は、コンピュータ読み取り可能媒体と呼ばれる。アップリンクにおいて、コントローラ／プロセッサ６６０は、コアネットワークからアッパレイヤパケットを復元するために、転送および論理チャネル間の分離、パケット再構成、復号、ヘッダ伸長、制御信号処理を提供する。アッパレイヤパケットはつぎにデータシンク６５８に供給される。データシンク６５８は、Ｌ２レイヤ情報のすべてのプロトコルレイヤを表す。Ｌ３処理のために種々の制御信号がデータシンク６５８に供給される。コントローラ／プロセッサ６６０はまた、ＨＡＲＱオペレーションをサポートするために、確認応答（ＡＣＫ）または否定応答（ＮＡＣＫ）プロトコルを使用するエラー検出を行う役目を負っている。
【００３５】
［００５１］アップリンクにおいて、データソース６６４は、コントローラ／プロセッサ６６０にアッパレイヤパケットを提供するために用いられる。データシンク６６４は、Ｌ２レイヤ上のすべてのプロトコルレイヤを表す。ｅＮｏｄｅＢ６１０によって送信されるダウンリンク送信に関連して記載された機能と同様に、コントローラ／プロセッサ６６０は、ヘッダ伸長、復号、パケット分離および再配列、ｅＮｏｄｅＢ６１０による無線リソース割り当て基づく論理および転送チャネル間の多重化を提供することによって、ユーザプレーンおよび制御プレーンのためのＬ２レイヤを実装する。コントローラ／プロセッサ６６０はまた、ＨＡＲＱオペレーション、失われたパケットの再送、ｅＮｏｄｅＢ６１０に対するシグナリングを行う役目をもつ。
【００３６】
［００５２］基準信号あるいはｅＮｏｄｅＢ６１０によって送信されたフィードバックからチャネル推定器６７２によって引き出されたチャネル推定値は、適切な符号化および変調方法を選択するとともに、空間処理を行うために送信プロセッサ６７０によって用いられる。送信プロセッサ６７０によって生成された空間ストリームは、個々のトランスミッタ６５４ＴＸを介して異なるアンテナ６５２に供給される。トランスミッタ６５４ＴＸの各々は、送信のための各空間ストリームによってＲＦキャリアを変調する。
【００３７】
［００５３］アップリンク送信は、ＵＥ６５０での受信器機能に関連して記述されたものと類似の方法でｅＮｏｄｅＢ６１０において処理される。各受信器６１８ＲＸは、各アンテナ６２０を介して信号を受信する。各受信器６１８ＲＸはＲＦキャリア上に変調された情報を復元し、当該情報を受信プロセッサ６４０に供給する。ｅＮｏｄｅＢの受信プロセッサ６４０は、Ｌ１レイヤを実装する。
【００３８】
［００５４］コントローラ／プロセッサ６３０はＬ２レイヤを実装する。コントローラ／プロセッサ６３０は、プログラムコードおよびデータを記憶するメモリ６３２に関連付けられる。メモリ６３２は、コンピュータ読み取り可能な媒体と呼ばれる。アップリンクにおいて、コントローラ／プロセッサ６３０は、ＵＥ６５０からアッパレイヤパケットを復元するために、転送および論理チャネル間の分離、パケット再配列、復号、ヘッダ伸長、制御信号処理を提供する。コントローラ／プロセッサ６３０からのアッパレイヤパケットは、コアネットワークに供給される。コントローラ／プロセッサ６３０はまた、ＨＡＲＱオペレーションをサポートするためにＡＣＫおよびＮＡＣＫを用いたエラー検出を行う役目を持つ。
【００３９】
［００５５］コントローラ／プロセッサ６３０およびコントローラ／プロセッサ６６０はそれぞれ、ｅＮｏｄｅＢ６１０およびＵＥ６５０でのオペレーションを先導する。ｅＮｏｄｅＢ６１０でのコントローラ／プロセッサ６３０および他のプロセッサおよびモジュールは、ここに記述された技術の種々のプロセスの実行を行うあるいは先導する。ＵＥ６５０でのコントローラ／プロセッサ６６０および他のプロセッサおよびモジュールは、図１５のフローチャートに例示された機能ブロック、あるいはここに記述された技術のための他のプロセス、の実行を行うあるいは先導する。メモリ６３２およびメモリ６６２はそれぞれ、ｅＮｏｄｅＢ６１０およびＵＥ６５０のためのデータおよびプログラムを記憶する。
【００４０】
［００５６］ＵＥ受信器において、周波数トラッキングループ（ＦＴＬ）、時間トラッキングループ（ＴＴＬ）、自動利得制御（ＡＧＣ）ループおよびチャネル推定器などの種々の目的のために、デジタルフィルタが用いられる。無限インパルス応答（ＩＩＲ）フィルタはしばしばデジタルフィルタとして用いられる。周波数トラッキングループ（ＦＴＬ）、時間トラッキングループ（ＴＴＬ）、自動利得制御（ＡＧＣ）ループ、チャネル推定器におけるＩＩＲフィルタは、ＵＥ１受信器における信号復調の前に、周波数オフセットおよびタイミングドリフトを補償する。ＩＩＲフィルタは、入力サンプル（例えば周波数／タイミングオフセット推定値、電力推定値およびチャネル推定値）の瞬間的な変化を減衰させるための、第一次あるいは第二次極ＩＩＲシステムとして実装される。ＩＩＲフィルタはまた、時間における推定値を組み合わせることによって、雑音の多い推定値から雑音／ジッタを平均化することができる。
【００４１】
［００５７］ＩＩＲフィルタの係数は、入力の変化に対してＩＩＲフィルタの出力がどのぐらい迅速に反応するかを決定する。ＩＩＲフィルタの係数は、周波数トラッキングループ（ＦＴＬ）、時間トラッキングループ（ＴＴＬ）、自動利得制御（ＡＧＣ）、チャネル推定器などのためのループゲインを含むが、これらに限定されるものではない。
【００４２】
［００５８］動作において、ＩＩＲフィルタは、周波数オフセット、タイミングオフセット、電力の瞬間的な推定値およびチャネル推定値の急激な変化を円滑化することができる。ＩＩＲフィルタはまた、トラッキングループの出力から、帯域外雑音およびジッタを抑制することができる。すなわち、ループゲイン（例えばフィルタ係数）は、瞬間的な推定の統計値（statistics）および信号対雑音（ジッタ）比によって決定される。
【００４３】
［００５９］本開示の一側面は、ＬＴＥマルチメディアブロードキャスト単一周波数ネットワーク（ＭＢＳＦＮ）あるいはＴＤＤ（時分割複信）システムのための周波数／タイミングトラッキングループ加速に関する。ＬＴＥ−ＴＤＤあるいはＭＢＳＦＮシステムにおいて、非ダウンリンクデータがフィルタ係数の更新のために用いられるのを防ぐために、フィルタ係数（例えばループゲイン）は、非ダウンリンクサブフレームの間更新されない。非ダウンリンクサブフレームに対する停止された（frozen）更新の影響で、フィルタトラッキング速度は、フィルタ係数がサブフレーム（例えばＦＤＤ（周波数分割複信）および非ＭＢＳＦＮモード）のたびに更新される場合と比較して、低速になる。本開示の一側面において、フィルタトラッキング加速は、トラッキングループ係数を適切に調整することによって停止されたフィルタ係数更新を補償する。
【００４４】
［００６０］一構成において、フィルタトラッキング速度は、一無線フレームにおいて、ダウンリンクサブフレームの全体数に対する、サブフレームの全体数の比だけ、すべてのダウンリンクサブフレームに対するフィルタ係数を増加することによって補償される。さらなる構成において、フィルタトラッキング速度は、アップリンクからダウンリンクへの（“推移的”）サブフレームのためのフィルタ係数を、当該推移的ダウンリンクサブフレームに先立って、連続する非ダウンリンクサブフレームの数だけ増加することによって補償される。フィルタトラッキング速度の補償は、ＬＴＥ−ＴＤＤあるいはＭＢＳＦＮシステムにおいて用いられる任意のトラッキングループ内に組み込まれることができる。本開示の一側面において、フィルタトラッキング速度の補償は、フィルタ係数がサブフレームごとに更新されるＦＤＤおよび非ＭＢＳＦＮ構成に合致して、フィルタトラッキング速度を効率よく加速することができる。
【００４５】
［００６１］図７は、第一次構成にしたがった、周波数トラッキングループ７００を示すブロック図である。図示によれば、識別器７１２は、周波数オフセットｆin−ｆoutの瞬間的な推定値を出力する。周波数トラッキングループ７００のトラッキングループ速度は、時定数によって決定される。
【数１】
2015516721.tif 000003
【００４６】
ここでαは周波数トラッキングループ７００のループゲイン７１０であり、ｆin７１４からｆout７１６への伝達関数は、
【数２】
2015516721.tif 000004
【００４７】
であり、周波数トラッキングループ７００の時間領域インパルス応答は、
【数３】
2015516721.tif 000005
【００４８】
である。
【００４９】
［００６２］図８は、第二次構成にしたがった、周波数トラッキングループ８００を示すブロック図である。周波数トラッキングループ８００のトラッキングループ速度は、時定数によって決定される。
【数４】
2015516721.tif 000006
【００５０】
ここでαは内部ループゲイン８１０、βは外部ループゲイン８２０であり、周波数トラッキングループ８００は、
【数５】
2015516721.tif 000007
【００５１】
のとき、臨界減衰（ critical damping）下にあり、そして、周波数トラッキングループ８００の伝達関数は、
【数６】
2015516721.tif 000008
【００５２】
である。
【００５３】
［００６３］理想的には、時間によって変化する特性を追跡してより良い雑音抑制を得るために、トラッキングループおよびチャネル推定器は、できるだけ頻繁に更新されるべきである。しかしながら、時分割複信（ＴＤＤ）システムにおいて、アップリンクおよびダウンリンク送信は同じ帯域内で実行される。その結果、無線フレームは、アップリンクサブフレームおよびダウンリンクサブフレームに分割される。非ダウンリンク（例えばアップリンクあるいはスペシャル）サブフレームの間にｅＮｏｄｅＢから到来するダウンリンク信号は存在しないので、フィルタ係数（例えば、周波数／タイミングトラッキングループ、自動利得制御ループのループゲイン、あるいはチャネル推定器のＩＩＲフィルタ係数）更新は、非ダウンリンクサブフレームの間、停止（frozen）される。これによってループゲインはゼロに設定される。アップリンクサブフレームを更新から保持するために、トラッキングフィルタ状態は、（例えばトラッキングフィルタ係数をゼロに設定することによって）非ダウンリンクサブフレームの間、更新されない。
【００５４】
［００６４］本開示の他の側面において、ダウンリンクサブフレームの間のフィルタ更新は、瞬間的なＳＮＲ（信号対雑音比）が所定のしきい値以下に降下するときに、停止される。本開示のこの側面において、サブフレームの信号対雑音比は、サブフレーム内の基準信号（ＲＳ）トーンにしたがって計算される。本開示のこの側面は、異なるアップリンク／ダウンリンク構成をもつ領域における展開による質の低下（degradation）に対処することができる。
【００５５】
［００６５］非ダウンリンクサブフレームあるいは信頼できないサブフレームの間、トラッキングフィルタ更新は停止されるので、フィルタトラッキング速度は、サブフレームのたびに更新されるループと比較して低下する。本開示の一側面において、フィルタ係数は、良好なダウンリンクサブフレームにおいて制御され、これによって、トラッキングフィルタのトラッキング速度は、フィルタが更新されたか否かにかかわらず不変（consistent）となる。
【００５６】
［００６６］アップリンク／ダウンリンクサブフレームパターンは、アップリンク／ダウンリンク構成によって変化する。ＬＴＥ−ＴＤＤにおいて、同じ通信スペクトルが、ＵＥからｅＮｏｄｅＢのアップリンク送信およびｅＮｏｄｅＢからＵＥへのダウンリンク送信の両方に対して使用される。アップリンクおよびダウンリンク送信は、ＵＥがいつ受信し送信するかを調整するために時間軸で直交する。ＬＴＥにおいてサポートされている異なるＴＤＤ構成が以下の表１に示されている。
【表１】
2015516721.tif 000009
【００５７】
表１に示すように、Ｄはダウンリンク（ＤＬ）（すなわちｅＮｏｄｅＢからＵＥへの通信）のためのサブフレームを示し、Ｕはアップリンク（ＵＬ）（すなわちＵＥからｅＮｏｄｅＢへの通信）のためのサブフレームを示し、Ｓはスペシャルサブフレームを示す。スペシャルサブフレームは、ダウンリンク直交周波数分割多重（ＯＦＤＭ）シンボル、ガード期間、アップリンクＯＦＤＭシンボルを含む。
【００５８】
［００６７］ＦＤＤ／ＴＤＤ  ＭＢＳＦＮモードにおいて、マルチメディアブロードキャストに対していくつかのサブフレームが割り当てられる。ＦＤＤ  ＭＢＳＦＮモードにおいて、ＭＢＳＦＮサブフレームは、サブフレーム１、２、３、６、７、８であり、ＴＤＤ  ＭＢＳＦＮモードにおいて、ＭＢＳＦＮサブフレームは、サブフレーム２、３、４、７、８、９であることができる。ＭＢＳＦＮ想定の下においては、ＵＥ受信器に対するダウンリンクサブフレームであると保証されるサブフレームは、ＦＤＤに対してサブフレーム０、４、５、９であり、ＴＤＤに対してサブフレーム０、１、５、６である。
【００５９】
［００６８］非ダウンリンクサブフレームの間における、周波数／タイミングトラッキングループ、自動利得制御ループ、チャネル推定ループ更新の停止は、表１に示されるように、ＬＴＥ−ＴＤＤアップリンク／ダウンリンク構成にしたがって決定される。図９は、非ダウンリンクサブフレームの間に、停止された周波数／タイミングトラッキングループ、自動利得制御ループあるいはチャネル推定ループ更新をもつトラッキングループのループトラッキング速度を示す図９００である。図９００は、入力信号９２２、加速なしのＴＤＤループ９２４、ＦＤＤループ９２６を示す。ＦＤＤループ９２６はサブフレームごとに更新される一方で、加速なしのＴＤＤループ９２４は、ダウンリンクサブフレームの間のみに更新される。示されるように、非ダウンリンクサブフレームの間、ループゲインは停止される（例えばαTDD,βTDD）＝（０，０））。ここで、α及びβは、式（例えば上記の（１）から（６））における値を意味する。したがって、加速なしのＴＤＤ９２４によって示されるように、ループトラッキング速度は低下する。これはループゲインは非ダウンリンクサブフレームの間、更新されないからである。図９において、パラメータは、ステップ入力とともに、第１のアップリンク／ダウンリンク構成（ＵＬ＿ＤＬ＿ＣＦＧ＝１）および（αTDD,βTDD）＝（０．１２５、０．０３３４）である。
【００６０】
［００６９］図１０は、入力信号１０２２によって示されるような、ランプ入力をもち、第１のアップリンク／ダウンリンク構成（ＵＬ＿ＤＬ＿ＣＦＧ＝１）および（αTDD,βTDD）＝（０．１２５、０．０３３４）とともに、ＦＤＤ（周波数分割複信）およびＴＤＤ（時分割複信）に対する第二次ループトラッキング速度の比較である。示されるように、グラフ１０００は、入力信号１０２２、加速なしの時分割複信（ＴＤＤ）ループ１０２４、周波数分割複信（ＦＤＤ）ループ１０２６を示す。同様にして、ループゲインは非ダウンリックサブフレームの間、更新されないので、ループトラッキング速度は、加速なしのＴＤＤループ１０２４によって示されるように、低下する。
【００６１】
［００７０］本開示の一側面において、トラッキングループ速度は、一無線フレームにおいて、ダウンリンクサブフレームの数に対する、サブフレームの全体数の比だけ増加することによって補償される。この構成において、αFDDおよび（αTDD,βTDD）は、トラッキングループがサブフレームごとに更新されるという仮定のもとに、第一次および第二次ループゲインとして選択される。この構成に基づいて、ループゲイン（例えば内部ループ）は、一無線フレーム（例えば１０／ＮDL）において、ダウンリンクサブフレーム(ＮDL)の数に対する、サブフレームの全体数(例えばＬＴＥ標準に対して１０ )の比だけ増加される。この構成において、ループゲインは、
【数７】
2015516721.tif 000010
【００６２】
によって与えられる第一次ループと、
【数８】
2015516721.tif 000011
【００６３】
によって与えられる第二次ループと、にしたがって、時分割複信システムにおけるアップリンク／ダウンリンク構成に基づいてスケーリングされる。これによって、スケーリングされたループゲイン（αTDD）は
【数９】
2015516721.tif 000012
【００６４】
として提供される。
【００６５】
臨界減衰を確実にするための第二次ループに対して、外部ループゲインは、
【数１０】
2015516721.tif 000013
【００６６】
によって与えられる。
【００６７】
［００７１］本開示のこの側面において、式（９）および（１０）によって与えられたスケーリングされたループゲイン（αTDD,βTDD）はすべてのダウンリンクサブフレームに適用される。表２は、各アップリンク／ダウンリンク構成（ＵＬ＿ＤＬ＿ｃｆｇ）に対するダウンリンクサブフレーム（ＮDL）の数を提供する。
【００６８】
［００７２］本開示の他の側面において、トラッキングループ速度は、図１１に示すように、アップリンクからダウンリンク（“推移的”）サブフレームのみに対するループゲインを、当該推移的サブフレームに先立って、連続する非ダウンリンクサブフレームの数だけ増大することによって補償される。
【表２】
2015516721.tif 000014
【００６９】
［００７３］図１１は、アップリンク／ダウンリンク構成３（ＵＬ＿ＤＬ＿ｃｆｇ＝３）に対する非ダウンリンクサブフレームの間、停止された（frozen）制御ループ更新を有するトラッキングループのループトラッキング速度の補償を示すタイミング図１１００を示す。このタイミング図１１００は、入力信号１１２２、加速なしのＴＤＤループ信号１１２４、ＦＤＤループ信号１１２６、加速をもつＴＤＤループ信号１１２８を示す。ＦＤＤループ信号１１２６は、サブフレームのたびに更新されるのに対し、加速なしのＴＤＤループ信号１１２４はダウンリンクサブフレームの間に更新される。示されるように、非ダウンリンクサブフレームの間、ループゲインは停止される（αTDD,βTDD）＝（０、０）。この結果、加速なしのＴＤＤループ信号１１２４によって示されるように、ループトラッキング速度は低下する。
【００７０】
［００７４］本開示の一側面において、ループトラッキング速度の補償は、式（９）および（１０）によって与えられるスケーリングされたループゲイン（αTDD,βTDD）を、アップリンクからダウンリンクへのサブフレーム（“推移的ダウンリンクサブフレーム”）１１４２に対して、当該推移的ダウンリンクサブフレーム１１４２に先立って、連続する非ダウンリンクサブフレーム１１５０の数だけ適用することによって達成される。この構成において、ループゲインは、ダウンリンクサブフレーム１１４０および１１４４に対して更新されるのに対し、スケーリングされたループゲインは、推移的ダウンリンクサブフレーム１１４２に適用される。
【００７１】
［００７５］本開示の一側面において、ループゲインは、（推移的ダウンリンクサブフレーム１１４２に先立って）、推移的ダウンリンクサブフレーム１１４２において、連続する非ダウンリンクサブフレーム１１５０の数Ｎだけ増加される。この構成において、ループゲインは、
【数１１】
2015516721.tif 000015
【００７２】
によって与えられる第一次ループと、
【数１２】
2015516721.tif 000016
【００７３】
によって与えられる第二次ループと、にしたがった、時分割複信システムにおけるアップリンク／ダウンリンク構成に基づいてスケーリングされる。これによって、スケーリングされたループゲイン（αTDD）は、
【数１３】
2015516721.tif 000017
【００７４】
として提供される。
【００７５】
［００７６］本開示のこの側面において、式（１３）によって与えられるスケーリングされたループゲイン（αTDD）は推移的ダウンリンクサブフレーム１１４２に供給される。この構成において、ＦＤＤループゲイン（αTDD,βTDD）は、（推移的ダウンリンクサブフレーム１１４２の後で）、ダウンリンクサブフレーム１１４４の連続する一つに対して供給される。
【００７６】
［００７７］図１２は、本開示の一側面にしたがった、各アップリンク構成（ＵＬ＿ＤＬ＿ｃｆｇ）に対して値Ｎを提供する図１２００を示す。示されるように、推移的サブフレームに対する式（１３）に従って、スケーリングされたループゲイン（αTDD）を計算するためのＮ値は、ボールド体で示されている。
【００７７】
［００７８］図１３は、ステップ入力を有し、第１のアップリンク／ダウンリンク構成（ＵＬ＿ＤＬ＿ＣＦＧ＝１）および（αTDD,βTDD）＝（０．１２５、００３３４）のときの、ＦＤＤ（周波数分割複信）およびＴＤＤ（時分割複信）に対するループトラッキング速度の比較である。示されるように、グラフ１３００は、入力１３２２、加速なしのＴＤＤループ１３２４、およびＦＤＤループ１３２６を示す。グラフ１３００はまた、第１の構成にしたがった、加速をもつ第１のＴＤＤループトラッキングおよび、第２の構成にしたがった、加速を持つ第２のＴＤＤループトラッキング１３３０を示す。
【００７８】
［００７９］図１４は、ランプ入力を有し、第１のアップリンク／ダウンリンク構成（ＵＬ＿ＤＬ＿ＣＦＧ＝１）および（αTDD,βTDD）＝（０．１２５、０．０３３４）のときの、ＦＤＤ（周波数分割複信）およびＴＤＤ（時分割複信）に対する第二次ループトラッキング速度の比較である。示されるように、グラフ１４００は、入力１４２２、加速なしのＴＤＤループ１４２４、およびＦＤＤループ１４２６を示す。グラフ１４００はまた、第１の構成にしたがった、加速をもつ第１のＴＤＤループトラッキング１４２８および第２の構成にしたがった、加速をもつ第２のＴＤＤループトラッキング１４３０を示す。
【００７９】
［００８０］図１５は、本開示の一側面にしたがった、低下されたループ速度を調整するために、停止された第１のフィルタ係数更新を補償するフィルタトラッキング加速のための方法１５００を示す。ブロック１５１０に示されるように、フィルタ係数は、時分割複信（ＴＤＤ）あるいはマルチメディアブロードキャスト単一周波数ネットワーク（ＭＢＳＦＮ）システムにおけるアップリンク／ダウンリンク構成に部分的に基づいてスケーリングされる。本開示の一側面において、ＴＤＤ／ＭＢＳＦＮシステムに対するフィルタ係数は、各サブフレームごとに更新される、ＦＤＤシステムに対するフィルタ係数に近似するようにスケーリングされる。ブロック１５１２において、フィルタトラッキング速度を制御するために、少なくとも１つのダウンリンクサブフレームの間に、スケーリングされたフィルタ係数が適用される。一構成において、スケーリングされたフィルタ係数は、一無線フレームにおいて、サブフレームの全体数に対するダウンリンクサブフレームの数の比だけ、ダウンリンクサブフレームに対して適用される。他の構成において、スケーリングされたフィルタ係数は、推移的なサブフレームに先立って、連続的なダウンリンクサブフレームの数に基づいて、推移的なサブフレームに適用される。
【００８０】
［００８１］図１６は、フィルタトラッキング加速システム１６１４を使用する、装置１６００のためのハードウェア実装の一例を示す図である。フィルタトラッキング加速システム１６１４は、概してバス１６２４によって示される、バスアーキテクチャによって実装される。バス１６２４は、フィルタトラッキング加速システム１６１４の特定のアプリケーションおよび設計全体上の拘束によって、任意の数の連結バスおよびブリッジを含む。バス１６２４は、プロセッサ１６２６、スケーリングモジュール１６０２、適用モジュール（applying module）１６０４、コンピュータ読み取り可能な媒体１６２８、によって示される、１つ以上のプロセッサあるいはハードウェアモジュールを含む種々の回路を連結する。バス１６２４はまた、業界でよく知られており、したがって、これ以上は記述しないが、タイミングソース、周辺機器、電圧制御器、電源管理回路などの、種々の他の回路を連結する。
【００８１】
［００８２］装置はトランシーバ１６２２に接続されたフィルタトラッキング加速システム１６１４を含む。トランシーバ１６２２は、１つ以上のアンテナ１６２０に接続される。トランシーバ１６２２は、送信媒体を介して種々の他の装置と通信するための手段を提供する。フィルタトラッキング加速システム１６１４は、コンピュータ読み取り可能な媒体１６２８に接続されたプロセッサ１６２６を含む。プロセッサ１６２６は、例えば、コンピュータ読み取り可能な媒体１６２８に記憶されたソフトウェアの実行を含む、一般的な処理を受け持つ。ソフトウェアは、プロセッサ１６２６によって実行されたときに、フィルタトラッキング加速システム１６１４に、任意の特定の装置のために記述された種々の機能を実行させる。コンピュータ読み取り可能な媒体１６２８はまた、ソフトウェアを実行するときに、プロセッサ１６２６によって操作されるデータを記憶するのに使用される。
【００８２】
［００８３］フィルタトラッキング加速システム１６１４はさらに、時分割複信（ＴＤＤ）あるいはマルチメディアブロードキャスト単一周波数ネットワーク（ＭＢＳＦＮ）システムにおけるアップリンク／ダウンリンク構成に少なくとも部分的に基づいて、フィルタ係数をスケーリングするためのスケーリングモジュール１６０２を含む。フィルタトラッキング加速システム１６１４はまた、フィルタトラッキング速度を制御するために、少なくとも１つのダウンリンクサブフレームの間に、フィルタ係数を適用するための適用モジュール１６０４を備える。スケーリングモジュール１６０２および適用モジュール１６０４はプロセッサ１６２６内で動作し、コンピュータ読み取り可能な媒体１６２８に駐在／記憶された、ソフトウェアモジュール、プロセッサ１６２６に接続された１つ以上のハードウェアモジュール、あるいはそれらの任意の組み合わせであることができる。フィルタトラッキング加速システム１６１４は、ＵＥ６５０のコンポーネントであることができ、メモリ６６１あるいはコントローラ／プロセッサ６６０を含む。
【００８３】
［００８４］一構成において、無線通信のための前記装置１６００は、スケーリングのための手段と適用のための手段を含む。当該手段はスケーリングモジュール１６０２、適用モジュール１６０４あるいはスケーリング手段および適用手段によって記述された機能を実行するように構成された装置１６００のフィルタトラッキング加速システム１６１４であることができる。スケーリング手段はアンテナ６５２、受信プロセッサ６５６、コントローラ／プロセッサ６６０、あるいはメモリ６６２を含むことができる。適用手段は、受信プロセッサ６５６、コントローラ／プロセッサ６６０、あるいはメモリ６６２を含むことができる。他の側面において、上記した手段は上記した手段によって記述された機能を実行するように構成された任意のモジュールあるいは装置であることができる。
【００８４】
［００８５］本例はＬＴＥシステムにおいて実装される側面を記述する。しかしながら、本開示の範囲はこれに限定されない。ＣＤＭＡシステム、ＴＤＭＡシステム、ＦＤＭＡシステム、およびＯＦＤＭＡシステムを含む（但し、これらに限定されない）、種々の通信プロトコルを使用する他の通信システムとともに使用される種々の側面が適合される。
【００８５】
［００８６］当業者ならば、本開示に関連してここに記述された、種々の例示的論理ブロック、モジュール、回路およびアルゴリズムステップは、ハードウェア、ソフトウェア、あるいは両者の組み合わせとして実装することができることを認識するであろう。ハードウェアおよびソフトウェアのこのような交換可能性を明確に示すために、種々の例示的コンポーネント、ブロック、モジュール、回路、ステップについて概して機能性の観点から上記された。そのような機能性がソフトウェアとして実行されるかハードウェアとして実行されるかは、特別なアプリケーションおよびシステム全体に課せられる設計上の制約に依存する。熟練者ならば、記述された機能性を特定のアプリケーションのために種々の方法で実装することができるが、そのような実装は本開示の範囲からの逸脱を引き起こすものと解釈されるべできでない。
【００８６】
［００８７］本開示に関連してここに記述された、種々の例示的論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）あるいは他のプログラマブルロジックデバイス、ディスクリートゲートまたはトランジスタロジック、ディスクリートハードウェアコンポーネント、あるいはここに記述された機能を実行するように設計された任意の組み合わせによって、実装あるいは実行されることができる。汎用プロセッサは、マイクロプロセッサであることができるが、その一方で、当該プロセッサは、任意の通常のプロセッサ、コントローラ、マイクロコントローラ、あるいは状態マシンであることができる。プロセッサはまた、計算デバイスの組み合わせ、例えばＤＳＰおよびマイクロプロセッサ、複数のマイクロプロセッサ、ＤＳＰコアに関連した１つ以上のマイクロプロセッサ、あるいは任意の他のそのような構成として実装することができる。
【００８７】
［００８８］ここに本開示に関連して記述された方法のステップあるいはアルゴリズムはハードウェア、プロセッサによって実行されるソフトウェアモジュール、あるいは両方の組み合わせにおいて直接に実現化される。ソフトウェアモジュールは、ＲＡＭメモリ、フラッシュメモリ、ＲＯＭメモリ、ＥＰＲＯＭメモリ、ＥＥＰＲＯＭメモリ、ＰＣＭ（位相変化メモリ）、レジスタ、ハードディスク、リムーバブルディスク、ＣＤ−ＲＯＭあるいは業界で知られた任意の形態の記憶媒体に配置することができる。例示的な記憶媒体はプロセッサに接続され、これによって、プロセッサは記憶媒体から情報を読み出すとともに、記憶媒体に対して情報を書き込むことができる。その一方で、記憶媒体はプロセッサと一体化することができる。プロセッサおよび記憶媒体はＡＳＩＣに配置することができる。ＡＳＩＣはユーザ端末内に配置できる。その一方で、プロセッサおよび記憶媒体はユーザ端末内のディスクリートコンポーネントとして配置することができる。
【００８８】
［００８９］１つ以上の例示的設計において、記述された機能は、ハードウェア、ソフトウェアあるいはそれらの組み合わせにおいて実装することができる。ソフトウェアにおいて実装されるならば、機能はコンピュータ読み取り可能な媒体上に記憶、１つ以上の命令あるいはコードとして符号化、あるいは１つ以上の命令あるいはコードとして送信される。コンピュータ読み取り可能な媒体は、コンピュータ記憶媒体およびコンピュータプログラムを一つの場所から他の場所に転送する任意の媒体を含む通信媒体を含む。記憶媒体は、汎用もしくは特定用途コンピュータによってアクセス可能な任意の利用可能な媒体であることができる。例によれば、限定されないが、そのようなコンピュータ読み取り可能な媒体は、ＲＡＭ、ＲＯＭ、ＥＥＲＯＭ、ＣＤ−ＲＯＭあるいは他の光学ディスクストレージ、磁気ディスクストレージあるいは他の磁気記憶デバイス、あるいは所望のプログラムコード手段を命令あるいはデータ構造の形態で運搬あるいは記憶するのに使用可能であり、汎用あるいは特定用途コンピュータあるいは汎用あるいは特定用途プロセッサによってアクセス可能な任意の他の媒体を備えることができる。また、任意の接続は正式にコンピュータ読み取り可能な媒体と呼ぶことができる。例えば、ソフトウェアが、同軸ケーブル、光ファイバケーブル、より対線、デジタルサブスクライバライン（ＤＳＬ）、あるいは赤外、無線、マイクロ波などの無線技術を用いて、ウエブサイト、サーバ、あるいは他の遠隔ソースから送信されるのならば、同軸ケーブル、光ファイバケーブル、より対線、デジタルサブスクライバライン（ＤＳＬ）、あるいは赤外、無線、マイクロ波などの無線技術は、媒体の定義に含まれる。ここで使用されるディスク（Diskおよびdisc）は、コンパクトディスク（ＣＤ）、レーザディスク、光ディスク、デジタルバーサタイルディスク（ＤＶＤ）、フロッピー（登録商標）ディスクおよびブルーレイディスクを含む。ここにおいて、ディスク（Disk）は通常データを磁気的に再生するのに対して、ディスク（disc）はレーザによって光学的にデータを再生する。上記の組み合わせもまた、コンピュータ読み取り可能な媒体内に含まれる。
【００８９】
［００９０］本開示の以上の記述は、当業者が本開示を製造あるいは使用するのを可能にするために提供された。当業者にとって本開示に対する種々の変形が容易に可能であり、ここに規定された一般的な原理は本開示の精神あるいは範囲から逸脱することなしに他の変形に適用することができる。すなわち、本開示はここに記述された例および設計に限定されることはなく、ここに開示された原理および新規な特徴に合致した、最も広い範囲が与えられるべきである。
【図１】
2015516721.tif 000018
【図２】
2015516721.tif 000019
【図３】
2015516721.tif 000020
【図４】
2015516721.tif 000021
【図５】
2015516721.tif 000022
【図６】
2015516721.tif 000023
【図７】
2015516721.tif 000024
【図８】
2015516721.tif 000025
【図９】
2015516721.tif 000026
【図１０】
2015516721.tif 000027
【図１１】
2015516721.tif 000028
【図１３】
2015516721.tif 000029
【図１４】
2015516721.tif 000030
【図１５】
2015516721.tif 000031
【図１６】
2015516721.tif 000032
【図１２】
2015516721.tif 000033
【国際調査報告】
2015516721.tif 000034
2015516721.tif 000035